(57)【要約】  台座（１）を備えるキャッシュレジスターであって、該台座（１）の頂部、中部の係止溝と底端にそれぞれディスプレイ（２）、ＰＯＳ端末（３）とベース（４）が設けられている。ＰＯＳ端末（３）には、係止溝から弾き出すための押しボタンが設けられている。台座（１）底部キャビティー内取付板（１４）の中部に軸受（１５）が設けられている。前記台座（１）底部と台座（１）底端に設けられたベース（４）とは、間に軸受（１５）を介して、ベース（４）に設けられて前記軸受（１５）と嵌合する連結シャフト（１６）に連結される。ベース（４）上の連結シャフト（１６）の両側にファスナ穴（１７）が設けられ、ファスナ穴（１７）内にボール（１８）が設けられ、前記ボール（１８）に接続する第１ばね（１９）の自由端が前記取付板（１４）に固定される。該キャッシュレジスターは操作が簡単で、使用し易い。台座（１）底部とベース（４）との間は軸受（１５）を介して連結され、機器全体の左右への回転を実現することができ、ボール（１８）、第１ばね（１９）及びファスナ穴（１７）の相互作用で生じた回転抵抗力により、機器全体が１８０°回転したとき回転を停止させて、ＰＯＳ端末（３）とディスプレイスクリーンがちょうど消費者に向かうようにし、台座上の押しボタンを押すことでＰＯＳ端末（３）を弾き出してカードをスワイプし易くする。【選択図】図１
2016537727.tif 000002
【特許請求の範囲】
【請求項１】
台座（１）を備えるキャッシュレジスターにおいて、
前記台座（１）の頂部と中部の係止溝と底端にそれぞれディスプレイ（２）とＰＯＳ端末（３）とベース（４）が設けられ、前記係止溝の頂端の凹溝（５）内にクリップ（６）が設けられ、前記クリップ（６）内に第１係止溝（７）が設けられ、前記第１係止溝（７）内に水平に設置されている第１プッシュロッド（８）が接続され、前記第１プッシュロッド（８）の自由端に第２プッシュロッド（９）が垂直接続され、前記係止溝の底端の左右両側に軸頭が設けられ、左側軸頭にばね（１０）が取り付けられ、右側軸頭の台座（１）に接する一端に半円状ギアホブ（１１）が取り付けられ、前記半円状ギアホブ（１１）の下方に前記半円状ギアホブ（１１）とぴったり合うバッファギアホブ（１２）が設けられ、ＰＯＳ端末（３）の頂端に第１凹溝（１３）とカードスワイプ溝が設けられ、前記台座（１）の底部キャビティー内に取付板（１４）が取り付けられ、前記取付板（１４）の中部に軸受（１５）が設けられ、前記台座（１）の底部と台座（１）の底端に設けられたベース（４）とは、間に軸受（１５）を介して、ベース（４）に設けられて前記軸受（１５）と嵌合する連結シャフト（１６）に連結され、前記ベース（４）上の連結シャフト（１６）の両側にファスナ穴（１７）が設けられ、前記ファスナ穴（１７）内にボール（１８）が設けられ、前記ボール（１８）に接続する第１ばね（１９）の自由端が前記取付板（１４）に固定される、
ことを特徴とするキャッシュレジスター。
【請求項２】
前記第２プッシュロッド（９）の自由端に押しボタン（２０）が設けられ、前記台座（１）のハウジングに前記押しボタン（２０）と係合する押しボタン穴が設けられている、
ことを特徴とする請求項１に記載のキャッシュレジスター。
【請求項３】
前記軸頭とバッファギアホブ（１２）がともに前記係止溝の底端両側の第１取付板（２１）に設けられている、
ことを特徴とする請求項２に記載のキャッシュレジスター。
【請求項４】
前記軸受（１５）と連結シャフト（１６）の頂端にカバープレート（２２）が設けられ、前記カバープレート（２２）はねじ（２３）を介して前記連結シャフト（１６）の軸スリーブに固定される、
ことを特徴とする請求項３に記載のキャッシュレジスター。
【発明の詳細な説明】
【技術分野】
【０００１】
本発明は機械分野に関し、特に、キャッシュレジスターに関する。
【背景技術】
【０００２】
経済の急速な発展につれて、クレジットカードでの支払いは、主流の消費支払い方式になり、マーケットやホテルであろうが、大なり小なりの各種経営場所であろうが、我々はＰＯＳ端末を随所に見ることができる。しかしながら、従来のキャッシュレジスターは、ほとんど単一ＰＯＳ端末がコンピュータに接続され、接続されたコンピュータのディスプレイスクリーンが指定の位置に固定され、操作者に面し、消費者を背にする。消費者はカードを読み取る前に往々にして頭の向きを操作者側に変えて、そこではじめてスクリーン上に表示された消費項目が見えるようになり、それから、カードを操作者に手渡してカードによる支払いを行う。このような操作方式は、ある程度の範囲で消費者及び操作者に非常に大きな利便性をもたらすが、時間がかかり、面倒である。
【０００３】
関連技術の問題に対し、今現在まだ有効な解決案は提案されていない。
【発明の概要】
【発明が解決しようとする課題】
【０００４】
関連技術の問題に対し、本発明は上記技術中の問題を解決できるキャッシュレジスターを提供する。
【課題を解決するための手段】
【０００５】
本発明の技術手段は以下のように実現するものである。
【０００６】
台座を備えるキャッシュレジスターにおいて、前記台座の頂部と中部の係止溝と底端にそれぞれディスプレイとＰＯＳ端末とベースが設けられ、前記係止溝の頂端の凹溝内にクリップが設けられ、前記クリップ内に第１係止溝が設けられ、前記第１係止溝内に水平に設置されている第１プッシュロッドが接続され、前記第１プッシュロッドの自由端に第２プッシュロッドが垂直接続され、前記係止溝の底端の左右両側に軸頭が設けられ、左側軸頭にばねが取り付けられ、右側軸頭の台座に接する一端に半円状ギアホブが取り付けられ、前記半円状ギアホブの下方に前記半円状ギアホブとぴったり合うバッファギアホブが設けられ、前記ＰＯＳ端末の頂端に第１凹溝とカードスワイプ溝が設けられ、前記台座の底部キャビティー内に取付板が取り付けられ、前記取付板の中部に軸受が設けられ、前記台座の底部と台座の底端に設けられたベースとは、間に軸受を介して、ベースに設けられて前記軸受と嵌合する連結シャフトに連結され、前記ベース上の連結シャフトの両側にファスナ穴が設けられ、前記ファスナ穴内にボールが設けられ、前記ボールに接続する第１ばねの自由端が前記取付板に固定される。
【０００７】
さらに、前記第２プッシュロッドの自由端に押しボタンが設けられ、前記台座のハウジングに前記押しボタンと係合する押しボタン穴が設けられている。
【０００８】
さらに、前記軸頭とバッファギアホブがともに前記係止溝の底端両側の第１取付板に設けられている。
【０００９】
さらに、前記軸受と連結シャフトの頂端にカバープレートが設けられ、前記カバープレートは、ねじを介して前記連結シャフトの軸スリーブに固定される。
【発明の効果】
【００１０】
本発明の有益な効果は、前記キャッシュレジスターの操作が簡単で、使用し易く、前記キャッシュレジスターの台座底部とベースとの間が軸受を介して連結され、機器全体の左右への回転を実現することができ、ボール、ばね及びファスナ穴の相互作用で生じた回転抵抗力により、機器全体が１８０°回転をしたとき回転を停止させて、ＰＯＳ端末とディスプレイスクリーンがちょうど消費者に向かうようにし、台座上の押しボタンを押すことでＰＯＳ端末を弾き出してカードをスワイプし易くするものである。
【００１１】
本発明の実施例または従来技術の技術的解決手段をより明確に説明するために、以下では実施例または従来技術の説明において使用される図面に対して簡単に説明を行い、明らかに、以下に説明される図面は本発明の一部の実施例に過ぎず、当業者にとって、進歩性ある労働を伴わないことを前提に、さらにこれらの図面に基づいてその他の図面を得ることができることは明らかである。
【図面の簡単な説明】
【００１２】
【図１】図１は本発明実施例による前記キャッシュレジスターの概略構成図である。
【図２】図２は図１中のＡ−Ａ部の断面図である。
【図３】図３は図１中のＢ−Ｂ部の断面図である。
【図４】図４は図１中のＣ−Ｃ部の断面図である。
【発明を実施するための形態】
【００１３】
以下は本発明の実施例における図面に準拠して、本発明の実施例における技術的解決手段について明白且つ十分な説明を行い、明らかに、説明される実施例は本発明の一部の実施例に過ぎず、全ての実施例ではない。本発明の実施例に基づき、当業者が進歩性ある労働を伴わないことを前提に得たその他の全実施例も、全て本発明の保護範囲に属する。
【００１４】
図１から３に示すように、本発明の実施例によれば、台座１を備えるキャッシュレジスターを提供する。前記台座１の頂部、中部の係止溝と底端にそれぞれディスプレイ２、ＰＯＳ端末３とベース４が設けられ、前記係止溝頂端の凹溝５内にクリップ６が設けられ、前記クリップ６内に第１係止溝７が設けられ、前記第１係止溝７内に水平に設置されている第１プッシュロッド８が接続され、前記第１プッシュロッド８の自由端に第２プッシュロッド９が垂直接続され、前記係止溝の底端の左右両側に軸頭が設けられ、前記左側軸頭にばね１０が取り付けられ、前記右側軸頭の台座１に接する一端に半円状ギアホブ１１が取り付けられ、前記半円状ギアホブ１１の下方に前記半円状ギアホブ１１とぴったり合うバッファギアホブ１２が設けられ、ＰＯＳ端末３の頂端に第１凹溝１３とカードスワイプ溝が設けられ、前記台座１底部キャビティー内に取付板１４が取り付けられ、前記取付板１４の中部に軸受１５が設けられ、前記台座１底部と台座１底端に設けられたベース４とは、間に軸受１５を介して、ベース４に設けられて前記軸受１５と嵌合する連結シャフト１６に連結され、前記ベース４上の連結シャフト１６の両側にファスナ穴１７が設けられ、前記ファスナ穴１７内にボール１８が設けられ、前記ボール１８に接続する第１ばね１９の自由端が前記取付板１４に固定される。
【００１５】
押しボタン２０を押すことにより、第１プッシュロッド８と第２プッシュロッド９による作用でクリップ６を凹溝１３内に係止させることで、ＰＯＳ端末を動かして弾き出す。前記ばね１０、半円状ギアホブ１１及びバッファギアホブ１２による作用でＰＯＳ端末を緩やかに弾き出し、弾き出しのスピードが速すぎて機器が壊れるのを防ぐ。前記軸受１５と連結シャフト１６による作用で、機器全体の回転を実現し、１８０°回転したとき、前記ボール１８の第１ばね１９への逆方向の作用力が増幅され、機器全体の回転角度をさらに増大させることは難しく、ディスプレイ２をちょうど消費者に向かうようにし、カードをスワイプする消費をし易くする。
【００１６】
前記第２プッシュロッド９の自由端に押しボタン２０が設けられ、前記台座１のハウジングに前記押しボタン２０と係合する押しボタン穴が設けられている。
【００１７】
前記軸頭とバッファギアホブ１２がともに前記係止溝底端両側の第１取付板２１に設けられている。
【００１８】
前記軸受１５と連結シャフト１６の頂端にカバープレート２２が設けられ、前記カバープレート２２は、ねじ２３を介して前記連結シャフト１６の軸スリーブに固定される。
【００１９】
具体的に使用するとき、操作者が消費項目を入力し終えた時、機器全体を１８０°回転させ、ディスプレイ２がちょうど消費者に向かうようにし、それから、押しボタン２０を押してＰＯＳ端末３を上向きに弾き出して、消費者が消費項目を照合した後、直接カードをスワイプし、確認した後、ディスプレイ２を操作者側に回転させ、操作全体が完了する。
【００２０】
上記のように、本発明の上記技術手段によって、前記キャッシュレジスターは、操作が簡単で、使用し易く、前記キャッシュレジスターの台座底部とベースとの間は軸受を介して連結され、機器全体の左右への回転を実現することができ、ボール、ばね及びファスナ穴の相互作用で生じた回転抵抗力により、機器全体が１８０°回転をしたとき回転を停止させて、ＰＯＳ端末とディスプレイスクリーンをちょうど消費者に向うようにし、台座上の押しボタンを押すことでＰＯＳ端末を弾き出してカードをスワイプし易くする。
【００２１】
以上は本発明の好ましい実施例に過ぎず、本発明を制限するものではない。本発明の主旨や原則内で、行われた如何なる変更、均等置換、改善などのいずれも本発明の保護範囲に含まれる。
【符号の説明】
【００２２】
１…台座、２…ディスプレイ、３…ＰＯＳ端末、４…ベース、５…凹溝、６…クリップ、７…第１係止溝、８…第１プッシュロッド、９…第２プッシュロッド、１０…ばね、１１…半円状ギアホブ、１２…バッファギアホブ、１３…第１凹溝、１４…取付板、１５…軸受、１６…連結シャフト、１７…ファスナ穴、１８…ボール、１９…第１ばね、２０…押しボタン、２１…第１取付板、２２…カバープレート、２３…ねじ。
【図１】
2016537727.tif 000003
【図２】
2016537727.tif 000004
【図３】
2016537727.tif 000005
【図４】
2016537727.tif 000006
【国際調査報告】
2016537727.tif 000007
2016537727.tif 000008
2016537727.tif 000009
2016537727.tif 000010
2016537727.tif 000011
2016537727.tif 000012